(57)【要約】【課題】オーディオプレーヤに再生されることのない画像データも一緒に記録すると、オーディオプレーヤに記録できるオーディオファイル数が少なくなってしまう。また、オーディオファイルを圧縮した場合、オーディオデータの音質が低下してしまう。【解決手段】記録再生装置にオーディオファイルを記録するオーディオ記録装置において、選択されたオーディオファイルが画像データを含み、当該選択オーディオファイルが記録再生装置に記録することができないとき、選択オーディオファイルの画像データのサイズと記録再生装置の空き記録容量とを比較し、画像データと空き記録容量との合計が画像データを取り除いた選択オーディオファイルのファイルサイズより大きい場合、選択オーディオファイルから画像データを取り除いた新たな選択オーディオファイルを作成して記録再生装置に記録する。【選択図】      図１
2007257730.tif 000002
【特許請求の範囲】
【請求項１】
オーディオファイルやビデオファイルの記録再生を行う記録再生装置にオーディオファイルを記録させるオーディオ記録装置において、オーディオファイルを備えるオーディオファイル出力部と、前記オーディオファイル出力部が備える複数のオーディオファイルの中からオーディオファイルを選択する操作部と、前記記録再生装置から前記記録再生装置に記録されているオーディオファイルに関する記録ファイル情報を受信すると共に前記操作部により選択された選択オーディオファイルを前記記録再生装置に送信するUSBインターフェースと、前記選択オーディオファイルが画像データを含むオーディオファイルであり、前記選択オーディオファイルが前記記録再生装置に記録することができないとき、前記選択オーディオファイルの画像データのサイズと前記記録ファイル情報から得られる記録再生装置の空き記録容量とを比較し、当該画像データと当該空き記録容量との合計が前記画像データを取り除いた選択オーディオファイルのファイルサイズより大きい場合、前記選択オーディオファイルから画像データを取り除いた新たな選択オーディオファイルを作成し、当該新たな選択オーディオファイルを前記記録再生装置に記録させる制御を行う記録装置制御部を備えたことを特徴とするオーディオ記録装置。
【請求項２】
オーディオファイルやビデオファイルの記録再生を行う記録再生装置にオーディオファイルを記録させるオーディオ記録装置において、オーディオデータを含むオーディオファイルを備えるオーディオファイル出力部と、前記オーディオファイル出力部が備える複数のオーディオファイルの中からオーディオファイルを選択する操作部と、前記記録再生装置から前記記録再生装置に記録されているオーディオファイルに関する記録ファイル情報を受信すると共に前記操作部により選択された選択オーディオファイルを前記オーディオプレーヤに送信するUSBインターフェースと、前記選択オーディオファイルが画像データを含むオーディオファイルであり、前記選択オーディオファイルが前記記録再生装置に記録することができないとき、当該画像データを含む選択オーディオファイルの画像データのサイズと前記記録ファイル情報から得られる記録再生装置の空き記録容量とを比較し、当該画像データのサイズと当該空き記録容量との合計が画像データを取り除いた選択オーディオファイルのファイルサイズより小さい場合、前記選択オーディオファイルから画像データを取り除いた新たな選択オーディオファイルを作成し、前記記録再生装置に記録されている画像データを含む記録オーディオファイルから画像データを取り除いた新たな記録オーディオファイルを作成して前記記録再生装置に上書きし、前記新たな選択オーディオファイルを前記記録再生装置に記録させる制御を行う記録装置制御部を備えたことを特徴とするオーディオ記録装置。
【請求項３】
請求項１及び２に記載のオーディオ記録装置において、前記USBインターフェースは、更に前記記録再生装置から前記記録再生装置の機器情報を取得し、前記記録装置制御部は、前記USBインターフェースが取得した機器情報に基づいて前記記録再生装置が画像データを含むビデオファイルを再生可能な記録再生装置であるか否かを判断し、前記記録再生装置がビデオファイルを再生可能な記録再生装置である場合、前記選択オーディオファイルを前記記録再生装置に記録させる制御を中止することを特徴とするオーディオ記録装置。
【請求項４】
オーディオファイルやビデオファイルの記録再生を行う記録再生装置にオーディオファイルを記録させるオーディオ記録方法において、前記記録再生装置から前記記録再生装置に記録されているオーディオデータを含むオーディオファイルに関する記録ファイル情報を取得するステップと、前記記録再生装置に記録するオーディオファイルを選択するステップと、選択された選択オーディオファイルと前記記録ファイル情報に基づいて選択オーディオファイルが前記記録再生装置に記録可能か否かを判断するステップと、前記選択オーディオファイルが前記記録再生装置に記録不可能な場合に当該選択オーディオファイルが画像データを含む選択オーディオファイルか否かを判断するステップと、選択オーディオファイルが画像データを含む選択オーディオファイルの場合に当該選択オーディオファイルから画像データを取り除いた新たな選択オーディオファイルを作成するステップと、当該新たな選択オーディオファイルを前記記録再生装置に記録させるステップとを備えることを特徴とするオーディオ記録方法。
【請求項５】
オーディオファイルやビデオファイルの記録再生を行う記録再生装置にオーディオファイルを記録させるオーディオ記録方法において、前記記録再生装置から前記記録再生装置に記録されているオーディオファイルに関する記録ファイル情報を取得するステップと、前記記録再生装置に記録するオーディオファイルを選択するステップと、選択された選択オーディオファイルと前記記録ファイル情報に基づいて選択オーディオファイルが前記記録再生装置に記録可能か否かを判断するステップと、前記選択オーディオファイルが前記記録再生装置に記録不可能な場合に当該選択オーディオファイルが画像データを含むオーディオファイルか否かを判断するステップと、当該選択オーディオファイルから画像データを取り除いた新たな選択オーディオファイルを作成するステップと、前記新たな選択オーディオファイルが前記記録再生装置に記録できない場合に前記記録再生装置に画像データを含む記録オーディオファイルがあるか否かを確認するステップと、前記記録再生装置に画像データを含む記録オーディオファイルがある場合に当該記録オーディオファイルから画像データを取り除いた新たな記録オーディオファイルを作成して前記記録再生装置に上書きするステップと、前記新たな選択オーディオファイルを前記記録再生装置に記録させるステップとを備えることを特徴とするオーディオ記録方法。
【請求項６】
請求項４及び５に記載のオーディオ記録方法において、更に前記記録再生装置から前記記録再生装置の機器情報を取得するステップと、前記機器情報に基づいて前記記録再生装置が画像データを含むビデオファイルを再生可能な記録再生装置であるか否かを判断するステップと、前記記録再生装置がビデオファイルを再生可能な記録再生装置である場合に前記選択オーディオファイルを前記記録再生装置に記録させる制御を中止するステップとを備えたことを特徴とするオーディオ記録方法。
【発明の詳細な説明】
【技術分野】
【０００１】
本発明は、オーディオファイルやビデオファイルの記録再生を行う記録再生装置にオーディオファイルを記録させるオーディオ記録装置及びオーディオ記録方法に関する。
【背景技術】
【０００２】
近年、記憶媒体としてフラッシュメモリやハードディスクを用い、フラッシュメモリやハードディスクにオーディオデータをオーディオファイルとして記憶し、記憶したオーディオファイルを再生するオーディオプレーヤが一般的になってきている。
【０００３】
このようなオーディオプレーヤでは、ユーザが自分の聞きたい音楽のオーディオファイルをパーソナルコンピュータ(Personal Computer : PC)を利用して記憶することができる。このオーディオファイルの種類は、複数の規格のものが存在するが、この中でもMP3(MPEG Audio Layer-3)、AAC(Advanced Audio Coding)などのMPEG(Moving Picture Experts Group)オーディオファイルやWMA(Windows(登録商標) Media Audio)といったWindows(登録商標)オーディオファイルが一般的に使用されている。
【０００４】
このオーディオファイルは、オーディオデータの他に同一ファイル内に画像データも含むことが可能である。この画像データには、オーディオファイルに関連する画像データ（例えば、この楽曲のアルバムのジャケット画像、アーティスト画像などの静止画データ、或いは、プロモーションビデオ等の動画データ）を格納することができる。最近では、このような画像データが含まれるオーディオファイルを再生すると、音楽の再生と同時に画像も再生する表示機能を備えたプレーヤなどが増えつつある。
【０００５】
オーディオデータを記録するデータ記録装置において、限られた記憶容量を有効に利用し多くのデータを記録するため、記録媒体の空き容量に応じて既に記録されたデータのビットレートを下げて再度圧縮して記録媒体に記録するデータ記録装置が特許文献１に開示されている。
【０００６】
【特許文献１】特開２００５−３５３１０８公報
【発明の開示】
【発明が解決しようとする課題】
【０００７】
記憶媒体に記録されるオーディオファイルに画像データが含まれている場合、オーディオファイル全体のデータサイズが大きくなる。画像データが含まれるオーディオファイルを音楽のみ再生可能なオーディオプレーヤに記憶する場合、オーディオファイルごと記憶するため、特許文献１に開示されているデータ記録装置において、再生されることのない画像データも一緒に記憶されることになり、オーディオプレーヤに記憶することができるオーディオファイル数が少なくなってしまう。
【０００８】
また、特許文献１に開示されているデータ記録装置においては、画像データを含むオーディオファイルを圧縮し直すため、オーディオファイル全体のファイルサイズは小さくなるが、当該オーディオファイルに画像データも含まれるため、その分オーディオデータの圧縮率が高くなり、オーディオデータの音質が低下してしまう。
【０００９】
本発明は、オーディオファイルから画像データを取り除いたオーディオファイルを記録再生装置に記録することにより、記録再生装置の記録容量を有効に使用することのできるオーディオ記録装置及びオーディオ記録方法を提供することを目的とする。
【課題を解決するための手段】
【００１０】
本発明は、オーディオファイルやビデオファイルの記録再生を行う記録再生装置にオーディオファイルを記録させるオーディオ記録装置において、オーディオファイルを備えるオーディオファイル出力部と、前記オーディオファイル出力部が備える複数のオーディオファイルの中からオーディオファイルを選択する操作部と、前記記録再生装置から前記記録再生装置に記録されているオーディオファイルに関する記録ファイル情報を受信すると共に前記操作部により選択された選択オーディオファイルを前記記録再生装置に送信するUSBインターフェースと、前記選択オーディオファイルが画像データを含むオーディオファイルであり、前記選択オーディオファイルが前記記録再生装置に記録することができないとき、前記選択オーディオファイルの画像データのサイズと前記記録ファイル情報から得られる記録再生装置の空き記録容量とを比較し、当該画像データと当該空き記録容量との合計が前記画像データを取り除いた選択オーディオファイルのファイルサイズより大きい場合、前記選択オーディオファイルから画像データを取り除いた新たな選択オーディオファイルを作成し、当該新たな選択オーディオファイルを前記記録再生装置に記録させる制御を行う記録装置制御部を備えたことを特徴とする。
【００１１】
本発明は、オーディオファイルやビデオファイルの記録再生を行う記録再生装置にオーディオファイルを記録させるオーディオ記録装置において、オーディオデータを含むオーディオファイルを備えるオーディオファイル出力部と、前記オーディオファイル出力部が備える複数のオーディオファイルの中からオーディオファイルを選択する操作部と、前記記録再生装置から前記記録再生装置に記録されているオーディオファイルに関する記録ファイル情報を受信すると共に前記操作部により選択された選択オーディオファイルを前記オーディオプレーヤに送信するUSBインターフェースと、前記選択オーディオファイルが画像データを含むオーディオファイルであり、前記選択オーディオファイルが前記記録再生装置に記録することができないとき、当該画像データを含む選択オーディオファイルの画像データのサイズと前記記録ファイル情報から得られる記録再生装置の空き記録容量とを比較し、当該画像データのサイズと当該空き記録容量との合計が画像データを取り除いた選択オーディオファイルのファイルサイズより小さい場合、前記選択オーディオファイルから画像データを取り除いた新たな選択オーディオファイルを作成し、前記記録再生装置に記録されている画像データを含む記録オーディオファイルから画像データを取り除いた新たな記録オーディオファイルを作成して前記記録再生装置に上書きし、前記新たな選択オーディオファイルを前記記録再生装置に記録させる制御を行う記録装置制御部を備えたことを特徴とする。
【００１２】
本発明は、前述したオーディオ記録装置において、前記USBインターフェースは、更に前記記録再生装置から前記記録再生装置の機器情報を取得し、前記記録装置制御部は、前記USBインターフェースが取得した機器情報に基づいて前記記録再生装置が画像データを含むビデオファイルを再生可能な記録再生装置であるか否かを判断し、前記記録再生装置がビデオファイルを再生可能な記録再生装置である場合、前記選択オーディオファイルを前記記録再生装置に記録させる制御を中止することを特徴とする。
【００１３】
本発明は、オーディオファイルやビデオファイルの記録再生を行う記録再生装置にオーディオファイルを記録させるオーディオ記録方法において、前記記録再生装置から前記記録再生装置に記録されているオーディオデータを含むオーディオファイルに関する記録ファイル情報を取得するステップと、前記記録再生装置に記録するオーディオファイルを選択するステップと、選択された選択オーディオファイルと前記記録ファイル情報に基づいて選択オーディオファイルが前記記録再生装置に記録可能か否かを判断するステップと、前記選択オーディオファイルが前記記録再生装置に記録不可能な場合に当該選択オーディオファイルが画像データを含む選択オーディオファイルか否かを判断するステップと、選択オーディオファイルが画像データを含む選択オーディオファイルの場合に当該選択オーディオファイルから画像データを取り除いた新たな選択オーディオファイルを作成するステップと、当該新たな選択オーディオファイルを前記記録再生装置に記録させるステップとを備えることを特徴とする。
【００１４】
本発明は、オーディオファイルやビデオファイルの記録再生を行う記録再生装置にオーディオファイルを記録させるオーディオ記録方法において、前記記録再生装置から前記記録再生装置に記録されているオーディオファイルに関する記録ファイル情報を取得するステップと、前記記録再生装置に記録するオーディオファイルを選択するステップと、選択された選択オーディオファイルと前記記録ファイル情報に基づいて選択オーディオファイルが前記記録再生装置に記録可能か否かを判断するステップと、前記選択オーディオファイルが前記記録再生装置に記録不可能な場合に当該選択オーディオファイルが画像データを含むオーディオファイルか否かを判断するステップと、当該選択オーディオファイルから画像データを取り除いた新たな選択オーディオファイルを作成するステップと、前記新たな選択オーディオファイルが前記記録再生装置に記録できない場合に前記記録再生装置に画像データを含む記録オーディオファイルがあるか否かを確認するステップと、前記記録再生装置に画像データを含む記録オーディオファイルがある場合に当該記録オーディオファイルから画像データを取り除いた新たな記録オーディオファイルを作成して前記記録再生装置に上書きするステップと、前記新たな選択オーディオファイルを前記記録再生装置に記録させるステップとを備えることを特徴とする。
【００１５】
本発明は、前述したオーディオ記録方法において、更に前記記録再生装置から前記記録再生装置の機器情報を取得するステップと、前記機器情報に基づいて前記記録再生装置が画像データを含むビデオファイルを再生可能な記録再生装置であるか否かを判断するステップと、前記記録再生装置がビデオファイルを再生可能な記録再生装置である場合に前記選択オーディオファイルを前記記録再生装置に記録させる制御を中止するステップとを備えたことを特徴とする。
【発明の効果】
【００１６】
本発明によれば、記録再生装置の記録容量に応じて、オーディオファイルから画像データを取り除いたオーディオファイルを記録再生装置に記録することにより、記録再生装置の記録容量を有効に使用することのできる。
【発明を実施するための最良の形態】
【００１７】
図１は、本発明のオーディオ記録装置を含むオーディオシステムの概略構成を示すブロック図である。
本実施形態においては、記録再生装置としてオーディオプレーヤを例に挙げて説明する。当該オーディオプレーヤは、USB(Universal Serial Bus)マスストレージクラスのデバイスであり、オーディオファイルの記憶及び再生が可能なフラッシュメモリを備え、当該メモリにオーディオファイルを記憶し再生することができる。本実施形態においては、メモリを備えたオーディオプレーヤを例に挙げて説明するが、コンパクト・ディスク・レコーダブル(CD-R)等の記録媒体にオーディオファイルを記録し再生することができるオーディオプレーヤでもよい。
【００１８】
また、本実施形態においては、オーディオ記録装置として、USBインターフェースを備え、オーディオプレーヤにオーディオファイルを記憶させることができるパーソナルコンピュータ(Personal Computer：PC)を例に挙げて説明する。本実施形態においては、オーディオ記録装置としてPCを例に挙げて説明するが、オーディオレコーダ等のAV(Audio Visual)機器でもよい。
【００１９】
図１において、オーディオプレーヤ101は、USBインターフェース104、メモリ105、デコーダ106、出力部107、操作部108、制御部109を備える。
【００２０】
USBインターフェース104は、USBケーブル103を介してPC102との間で機器情報、記憶ファイル情報、オーディオファイルのデータの送受信を行う。メモリ105は、後述する制御部109の制御に基づいてオーディオファイルを記憶する。本実施形態においては、メモリ105は記憶容量が１２８MBのフラッシュメモリとする。本実施形態では、メモリ105をフラッシュメモリとするが、ハードディスクなどでもよい。
【００２１】
デコーダ106は、後述する制御部109の制御に基づいて、メモリ105から読み出されたオーディオファイルのオーディオデータをデコードし出力部107に出力する。出力部107は、後述する制御部109の制御に基づいて、デコーダ106から入力するオーディオデータをアナログオーディオ信号に変換し、当該アナログオーディオ信号を増幅し、出力部107に接続されているイヤフォン等に出力する。操作部108は、メモリ105へのオーディオファイルの記憶、メモリ105に記憶されたオーディオファイルの再生や再生停止等の指示、オーディオファイルの選択などの指示を入力するボタンを備え、ユーザが操作したボタンに対応する指示信号を制御部109に出力する。
【００２２】
制御部109は、オーディオプレーヤ101全体を総合的に制御する。制御部109は、操作部108からの指示信号に基づいて、USBインターフェース104から入力するオーディオファイルをメモリ105に記憶する制御、メモリ105に記憶された複数のオーディオファイルから再生するオーディオファイルを選択する制御、選択されたオーディオファイルをメモリ105から読み出し、デコードした後、出力部107からオーディオ信号として出力する制御を行う。制御部109は、後述するPC102から当該オーディオプレーヤ101に関する情報、オーディオファイルに関する情報の送信要求があった場合、PC102に対して要求された情報を送信する。
【００２３】
PC102は、再生部110、ネットワークインターフェース111、HDD(Hard Disc Drive)112、操作部113、USBインターフェース114、RAM(Random Access Memory)115、中央演算処理部116を備える。
【００２４】
再生部110は、例えば、DVD(Digital Versatile Disc)ドライブであり、トレイに装着されたDVDからデータを読み出し、中央演算処理部116に出力する。本実施形態では、DVDに記録されたMPEGフォーマットのオーディオファイルを読み出し、中央演算処理部116に出力する。ネットワークインターフェース111は、例えば、インターネット等のネットワークに接続するためのインターフェースである。本実施形態では、ネットワークインターフェース111は、インターネットに接続されており、インターネットを介してオーディオファイルを受信する。HDD112は、後述する中央演算処理部116の制御に基づいて、オーディオファイル等のデータを記憶する大容量記憶装置である。
【００２５】
ここで、再生部110、ネットワークインターフェース111、HDD112は、後述する中央演算処理部116の制御に基づいて、オーディオプレーヤ101に記憶するオーディオファイルを記録媒体或いはネットワークから取得し、オーディオファイルを出力する。これら再生部110、ネットワークインターフェース111、HDD112をオーディオファイル出力部とする。
【００２６】
操作部113は、キーボードやマウスであり、ユーザの入力に応じた指示信号を後述する中央演算処理部116に出力する。USBインターフェース114は、USBケーブル103を介してオーディオプレーヤ101との間で機器情報、情報ファイル情報、オーディオファイルのデータの送受信を行う。
【００２７】
RAM115は、アプリケーションソフトウエア等のプログラム、アプリケーションソフトウエアで作成されたデータ、後述するオーディオファイル記憶処理においてオーディオプレーヤ101から取得したオーディオファイル等を記憶するメモリである。
【００２８】
オーディオ記録装置の記録装置制御部である中央演算処理部116は、PC102全体を総合的に制御する。中央演算処理部116は、操作部113からの指示信号に基づいて、RAM115に記憶されているアプリケーションソフトウエア等のプログラムを読み出し、当該プログラムを実行してデータの作成等を行い、作成したデータをHDD112に記憶したり、HDD112に記憶したデータを読み出すなどの信号処理・演算処理等を行う。本実施形態においては、中央演算処理部116は、操作部113からの指示信号に基づいて、RAM115に記憶されているオーディオ編集ソフトウエアを読み出し実行し、再生部110、ネットワークインターフェース111又はHDD112から入力するオーディオファイルに対して信号処理を施しUSBインターフェース114に出力する。
【００２９】
ここで、オーディオ編集ソフトウエアは、再生部110又はネットワークインターフェース111から取得したオーディオファイル、或いは、HDD112に記憶されているオーディオファイルをUSBケーブル103を介して接続されているオーディオプレーヤ101に記憶させる処理を実行するためのソフトウエアである。当該オーディオ編集ソフトウエアは、オーディオプレーヤ101に記憶するオーディオファイルの選択処理、選択されたオーディオファイルをオーディオプレーヤ101に転送し、オーディオプレーヤ101に記憶させる処理等を実行する。
【００３０】
オーディオ編集ソフトウエアにおいては、後述するように、ユーザが選択したオーディオファイル(選択オーディオファイル)が画像データを含むオーディオファイルであり、オーディオプレーヤ101に当該選択オーディオファイルが記憶できない場合、オーディオプレーヤ101のメモリ105の空き記憶容量を確認し、選択オーディオファイル或いはオーディオプレーヤ101のメモリ105に記憶したオーディオファイルから画像データ(静止画データや動画データ)を取り除いたオーディオファイルを作成し、当該オーディオファイルをオーディオプレーヤ101に記憶させる処理を行う。
【００３１】
次に、本実施形態におけるオーディオプレーヤ101とPC102の動作について説明する。
図２は、本実施形態におけるPCの動作を説明するフローチャートである。
図２において、ユーザがPC102にオーディオプレーヤ101を接続した後、オーディオ編集ソフトウェアを起動する。
【００３２】
オーディオ編集ソフトウェアが起動すると、PC102の中央演算処理部116は、オーディオプレーヤ101に機器情報および当該オーディオプレーヤに記憶されているオーディオファイルに関する記憶ファイル情報の送信要求を行う(ステップS201)。そして、中央演算処理部116は、オーディオプレーヤ101から機器情報とファイル情報を取得する(ステップS202)。
【００３３】
PC102とオーディオプレーヤ101がUSBケーブル103により接続されており、PC102は、接続されているオーディオプレーヤ101(USB機器)がどのようなデバイスであるかを示す機器情報(デバイス・デスクリプション)を取得することができる。この機器情報には、任意ではあるが、製造者名、製品名などが記録されている。これを使用して、その接続された機器がオーディオ再生のみ可能か、画像データも同時再生可能かを判別することが可能である。
【００３４】
また、記憶ファイル情報は、現在、オーディオプレーヤ101のメモリ105に記憶されているオーディオファイルに関するファイル名、タイトル名、時間、ファイルサイズ、画像データの有無、画像データのサイズ、総ファイル数などを示す情報である。また、本実施例においては、当該記憶ファイル情報として、オーディオプレーヤ101のメモリ105の空き記憶容量の情報も含む。
【００３５】
次に、PC102の中央演算処理部116は、オーディオプレーヤ101のメモリ105に記憶させるオーディオファイルをユーザに選択させるため、オーディオファイル出力部である再生部110、ネットワークインターフェース111、HDD112のうちから、オーディオプレーヤ101に出力するオーディオファイルの出力元を選択させる(ステップS203)。
【００３６】
再生部110が選択された場合、中央演算処理部116は、再生部110に装着されている記録媒体に記録されているオーディオファイルに関する管理情報に基づいて表示装置(図示せず)にオーディオファイルのリストを表示させる。ネットワークインターフェース111が選択された場合、中央演算処理部116は、ユーザの指示に基づいてネットワークインターフェース111を介しネットワークサーバにアクセスし、ダウンロード可能なオーディオファイルのリストを表示装置(図示せず)に表示させる。HDD112が選択された場合、中央演算処理部116は、HDD112に記憶されているオーディオファイルに関する管理情報に基づいて表示装置(図示せず)にオーディオファイルのリストを表示させる。
【００３７】
ユーザがオーディオファイル出力部の中からオーディオファイルの出力元を選択し、オーディオプレーヤ101に記憶させるオーディオファイル(選択オーディオファイル)を選択し、オーディオプレーヤ101への記憶開始の指示をすると(ステップS204)、中央演算処理部116は、オーディオプレーヤ101のメモリ105の空き記憶容量と選択オーディオファイルのファイルサイズに基づいて、選択オーディオファイルがオーディオプレーヤ101のメモリ105に記憶可能か否かを判断する(ステップS205)。
【００３８】
ここで、本実施形態では、ユーザにより１つのオーディオファイルが選択され、当該オーディオファイルをオーディオプレーヤ101のメモリ105に記憶する場合について説明するが、ユーザにより複数のオーディオファイルが選択された場合でも適用できる。
【００３９】
選択オーディオファイルがオーディオプレーヤ101のメモリ105に記憶可能な場合、すなわち選択オーディオファイルのファイルサイズに対しオーディオプレーヤ101のメモリ105の空き記憶容量が十分にある場合、中央演算処理部116は、当該選択オーディオファイルをUSBインターフェース114を介してオーディオプレーヤ101に送信し(ステップS206)、オーディオプレーヤ101のメモリ105に記憶させる(ステップS207)。
【００４０】
選択オーディオファイルをオーディオプレーヤ101に送信した後、中央演算処理部116は、続けてオーディオプレーヤ101のメモリ105に記憶させるオーディオファイルがあるか否かをユーザに問い合わせ(ステップS208)、続けてオーディオプレーヤ101のメモリ105に記憶するオーディオファイルがある場合はステップS204に戻り、続けて記憶するオーディオファイルが他の出力元の場合は(ステップS209)、ステップS203に戻る。オーディオプレーヤ101に記憶するオーディオファイルがない場合は、終了する。
【００４１】
ステップS205において、オーディオプレーヤ101のメモリ105の空き記憶容量と選択オーディオファイルのファイルサイズを比較し、選択オーディオファイルがオーディオプレーヤ101に記憶可能か否かを判断した結果、選択オーディオファイルがオーディオプレーヤ101に記憶することが不可能な場合、すなわち選択オーディオファイルのファイルサイズがオーディオプレーヤ101のメモリ105の空き記憶容量より大きい場合、中央演算処理部116は、選択オーディオファイルが画像データを含むオーディオファイルであるか否かを判別する(ステップS210)。
【００４２】
中央演算処理部116は、選択オーディオファイルが画像データを含むオーディオファイルである場合、後述する第１オーディオファイル記憶処理を行い(ステップS211)、選択オーディオファイルが画像データを含むオーディオファイルでない場合、後述する第２オーディオファイル記憶処理を行う(ステップS212)。
【００４３】
まず、第１オーディオファイル記憶処理について説明する。
図３は、本実施形態にオーディオ記録装置における第１オーディオファイル記憶処理を説明するフローチャートである。
図２に示すステップS210において、選択オーディオファイルがオーディオプレーヤ101に記憶することが不可能であり、当該選択オーディオファイルが画像データを含むオーディオファイルである場合、中央演算処理部116は、当該選択オーディオファイルから画像データを取り除き、オーディオデータのみの選択オーディオファイルをオーディオプレーヤ101に記憶するか否かを表示装置(図示せず)に表示し問い合わせる(ステップS301)。
【００４４】
ユーザが、オーディオデータのみの選択オーディオファイルをオーディオプレーヤ101に記憶する方法を選択しない場合、中央演算処理部116は、当該選択オーディオファイルをオーディオプレーヤ101に記憶することができないと判断し(ステップS302)、終了する。
【００４５】
ユーザが、オーディオデータのみの選択オーディオファイルをオーディオプレーヤ101に記憶する方法を選択した場合、中央演算処理部116は、選択オーディオファイルから画像データを取り除き、オーディオデータのみの新たな選択オーディオファイルを作成し、RAM115に記憶する(ステップS303)。
【００４６】
そして、中央演算処理部116は、新たな選択オーディオファイルのファイルサイズとオーディオプレーヤ101のメモリ105の空き記憶容量に基づいて、再び、オーディオプレーヤ101への新たな選択オーディオファイルの記憶が可能か否かを判断する(ステップS304)。当該新たな選択オーディオファイルの記憶が可能な場合、中央演算処理部116は、当該新たな選択オーディオファイルをUSBインターフェース114を介してオーディオプレーヤ101に送信し(ステップS305)、オーディオプレーヤ101に記憶させた後(ステップS306)、図２に示すステップS208に戻る(ステップS307)。
【００４７】
ステップS304において、当該選択オーディオファイルの記憶が不可能な場合、すなわち、新たな選択オーディオファイルのファイルサイズがオーディオプレーヤ101のメモリ105の空き記憶容量よりも大きい場合、中央演算処理部116は、後述する第２オーディオファイル記憶処理を実行する(ステップS308)。
【００４８】
次に、第２オーディオファイル記憶処理について説明する。
図４は、本実施形態にオーディオ記録装置における第２オーディオファイル記憶処理を説明するフローチャートである。
図２に示すステップS210において、選択オーディオファイルが画像データを含まないオーディオファイルである場合(ステップS212)、または、図３に示す第１オーディオファイル記憶処理のステップS304において、画像データを取り除いて作成した新たな選択オーディオファイルのファイルサイズがオーディオプレーヤ101のメモリ105の空き記憶容量よりも大きい場合(ステップS308)、中央演算処理部116は、オーディオプレーヤ101に記憶されてるいオーディオファイルに関する記憶ファイル情報をオーディオプレーヤ101から取得し(ステップS401)、既にオーディオプレーヤ101に記憶されているオーディオファイル(記憶オーディオファイル)の中に画像データを含むオーディオファイルが存在するかどうかを確認する(ステップS402)。
【００４９】
オーディオプレーヤ101のメモリ105に記憶されている記憶オーディオファイルの中に画像データを含む記憶オーディオファイルが存在しない場合、中央演算処理部116は、オーディオプレーヤ101への選択オーディオファイルの記憶が不可能であると判断し(ステップS403)、ユーザに記憶不可能であることを通知し、処理を終了する。
【００５０】
オーディオプレーヤ101のメモリ105に記憶されている記憶オーディオファイルの中に画像データを含む記憶オーディオファイルが存在する場合、中央演算処理部116は、記憶ファイル情報を参照し、画像データを含む記憶オーディオファイルの画像データのサイズを確認する(ステップS404)。中央演算処理部116は、当該画像データのサイズとメモリ105の空き記憶容量の合計サイズがオーディオプレーヤ101に記憶する画像データを含まない選択オーディオファイルのサイズより小さいか否かを確認する(ステップS405)。
【００５１】
画像データのサイズとメモリ105の空き記憶容量の合計サイズが、オーディオプレーヤ101に記憶する画像データを含まない選択オーディオファイルのサイズより小さい場合、中央演算処理部116は、オーディオプレーヤ101のメモリ105に記憶されている全てのオーディオファイルについて画像データの有無、サイズ、画像データサイズとメモリ105の空き記憶容量の合計サイズが、オーディオプレーヤ101に記憶する画像データを含まない選択オーディオファイルのファイルサイズより小さいかを確認したか否かを判断する(ステップS406)。
【００５２】
中央演算処理部116は、オーディオプレーヤ101のメモリ105に記憶されている記憶オーディオファイルを１つずつ画像データのサイズを確認し、１つ目の画像データのサイズとメモリ105の空き記憶容量の合計サイズが、オーディオプレーヤ101に記憶する画像データを含まない選択オーディオファイルのサイズより小さい場合、２つ目の画像データを含む記憶オーディオファイルの画像データのサイズを確認し、１つ目の画像データのサイズ、２つ目の画像データのサイズ、および、メモリ105の空き記憶容量の合計サイズが、オーディオプレーヤ101に記憶する画像データを含まない選択オーディオファイルのサイズより小さいか否かを確認する。
【００５３】
中央演算処理部116は、ステップS402、S404、S405、S406を繰り返し行い、画像データを含む記憶オーディオファイルの画像データのサイズとメモリ105の空き記憶容量との合計サイズが、オーディオプレーヤ101に記憶する画像データを含まない選択オーディオファイルのサイズより小さいか否かを確認し、オーディオプレーヤ101へのオーディオファイルの記憶が不可能であると判断した場合(ステップS406)、ユーザに記憶不可能であることを通知し、処理を終了する。
【００５４】
画像データのサイズとメモリ105の空き記憶容量の合計サイズが、オーディオプレーヤ101に記憶する画像データを含まない選択オーディオファイルのサイズより大きい場合、すなよわち、オーディオプレーヤ101に記憶する画像データを含まない選択オーディオファイルのサイズが記憶オーディオファイルの画像データのサイズとメモリ105の空き記憶容量の合計サイズより小さい場合(ステップS405)、中央演算処理部116は、オーディオプレーヤ101のメモリ105に記憶されている画像データを含む記憶オーディオファイルのコピーをPC102のRAM115上に作成し(ステップS407)、当該記憶オーディオファイルから画像データを取り除き、画像データを取り除いた新たな記憶オーディオファイルを作成する(ステップS408)。
【００５５】
そして、中央演算処理部116は、当該画像データを取り除いた新たな記憶オーディオファイルをオーディオプレーヤ101に転送し、オーディオプレーヤ101のメモリ105に上書きする(ステップS409)。このことにより、オーディオプレーヤ101のメモリ105の空き記憶容量を増加させる。
【００５６】
その後、中央演算処理部116は、オーディオプレーヤ101に記憶する選択オーディオファイルをオーディオプレーヤ101に送信し(ステップS410)、オーディオプレーヤ101のメモリ105に記憶させ(ステップS411)、図２に示すステップS208に戻る。このことにより、選択オーディオファイルをオーディオプレーヤ101に記憶することができる。
【００５７】
第１及び第２オーディオファイル記憶処理について、オーディオプレーヤ101の空き記憶容量が２MBであり、オーディオプレーヤ１０１に記憶する静止画データを含む選択オーディオファイルのファイルサイズが２．５MBの場合を例に挙げて説明する。
静止画データを含む選択オーディオファイルは、ファイルサイズが２．５MBであり、３００KBの静止画データが含まれるものとする。PC102の中央演算処理部116は、まずオーディオプレーヤ101のメモリ105の空き記憶容量と、オーディオプレーヤ101に記憶する選択オーディオファイルのファイルサイズを比較し、当該選択オーディオファイルをオーディオプレーヤ101に記憶可能かどうかを判断する。
【００５８】
中央演算処理部116は、オーディオプレーヤ101のメモリ105の空き記憶容量が２MBであり、選択オーディオファイルのファイルサイズが２．５MBであるため、当該選択オーディオファイルをオーディオプレーヤ101に記憶することができないと判断し、当該選択オーディオファイルに静止画データが含まれるかどうかを確認する。
【００５９】
選択オーディオファイルに静止画データが含まれる場合、中央演算処理部116は、RAM115上に当該選択オーディオファイルから静止画データを取り除いたオーディオデータのみの新たな選択オーディオファイルを作成する。その後、この作成された新たな選択オーディオファイルのファイルサイズとオーディオプレーヤ101のメモリ105の空き記憶容量とを再び比較する。
【００６０】
選択オーディオファイルの静止画データのサイズが３００KBであるため、作成された新たな選択オーディオファイルのファイルサイズは、２．２MBとなる。このままでは当該選択オーディオファイルをオーディオプレーヤ101に記憶することができないため、中央演算処理部116は、既にオーディオプレーヤ101のメモリ105に記憶されている記憶オーディオファイルの中から静止画データを含む記憶オーディオファイルの有無を検索する。
【００６１】
中央演算処理部116は、オーディオプレーヤ101のメモリ105に記憶されている記憶オーディオファイルを順に確認し、静止画データを含む記憶オーディオファイルを検出すると、当該記憶オーディオファイルの静止画データのサイズを確認する。当該画像データのサイズが300KBの場合、中央演算処理部116は、当該静止画データのサイズ300KBとオーディオプレーヤ101の空き記憶容量２MBとの合計が２.３MBであり、作成された新たな選択オーディオファイルのファイルサイズ２．２MBより大きいため、当該新たな選択オーディオファイルをオーディオプレーヤ101のメモリ105に記憶することができると判断する。
【００６２】
中央演算処理部116は、オーディオプレーヤ101のメモリ105に記憶されているサイズが300KBの画像データを含む記憶オーディオファイルのコピーをPC102のRAM115上に作成し、当該記憶オーディオファイルから静止画データを取り除いた新たな記憶オーディオファイルを作成する。
【００６３】
そして、中央演算処理部116は、新たに作成した記憶オーディオファイルをオーディオプレーヤ101のメモリ105に上書きする。その後で、中央演算処理部116は、オーディオプレーヤ101に先に作成した新たな選択オーディオファイルをオーディオプレーヤ101に送信し、メモリ105に記憶させる。
【００６４】
以上のように、オーディオプレーヤに記憶する選択オーディオファイルがオーディオプレーヤに記憶できないとき、当該選択オーディオファイルに画像データが含まれる場合には、当該画像データを取り除いた選択オーディオファイルを作成してオーディオプレーヤに記憶させる。
【００６５】
また、画像データを取り除いた選択オーディオファイルであってもオーディオプレーヤに記憶することができないとき、オーディオプレーヤのメモリに記憶されている画像データを含む記憶オーディオファイルの有無を確認し、画像データを含む記憶オーディオファイルがある場合は、当該記憶オーディオファイルについて画像データを取り除いた記憶オーディオファイルを作成し、作成した記憶オーディオファイルをオーディオプレーヤのメモリに上書きしてオーディオファイルのメモリの空き記憶容量を増加させた後、先に作成した選択オーディオファイルをオーディオプレーヤに記憶させることができる。
【００６６】
なお、前述した実施形態において、中央演算処理部は、USBインターフェースがオーディオプレーヤから取得した機器情報に基づいて、当該オーディオプレーヤがビデオファイルの記録再生が可能な装置であるか否かを判断し、当該オーディオプレーヤがビデオファイルの記録再生が可能な装置である場合には、前述した第１オーディオファイル記憶処理及び第２オーディオファイル記憶処理を中止するようにしてもよい。
【００６７】
このことにより、オーディオ記録装置に接続されている装置がビデオファイルを記録再生が可能な装置である場合に、ビデオファイルに格納されているビデオデータを取り除くことなく、オーディオ記録装置に接続されている装置に記録することができる。また、機器情報に基づいてオーディオ記録装置に接続されている装置がビデオファイルを記録再生が可能な装置であるか否かを判断することにより、後段の第１オーディオファイル記憶処理及び第２オーディオファイル記憶処理を中止するため、処理時間が短縮され、ユーザに迅速に装置の記録処理の状況を通知することができる。
【図面の簡単な説明】
【００６８】
【図１】本発明のオーディオ記録装置を含むオーディオシステムの概略構成を示すブロック図。
【図２】本実施形態におけるPCの動作を説明するフローチャート。
【図３】本実施形態にオーディオ記録装置における第１オーディオファイル記憶処理を説明するフローチャート。
【図４】本実施形態にオーディオ記録装置における第２オーディオファイル記憶処理を説明するフローチャート。
【符号の説明】
【００６９】
１０１・・・オーディオプレーヤ、１０２・・・PC、１０３・・・USBケーブル、１０４・・・USBインターフェース、１０５・・・メモリ、１０６・・・デコーダ、１０７・・・出力部、１０８・・・操作部、１０９・・・制御部、１１０・・・再生部、１１１・・・ネットワークインターフェース、１１２・・・USBインターフェース、１１３・・・操作部、１１４・・・RAM、１１５・・・HDD、１１６・・・中央演算処理部。
【図１】
2007257730.tif 000003
【図２】
2007257730.tif 000004
【図３】
2007257730.tif 000005
【図４】
2007257730.tif 000006